(57)【要約】
【課題】グラデーションフィルムが正面アーチ曲線状にカットされたものである場合にも、フイルムのずれによる縁部の曲がりや折れを生じさせず、商品価値が高い状態を維持することができる車両ガラス用フィルムの展示販売具を提供する。
【解決手段】吊下げ用の孔を有する台紙と台紙前面に重ねられたプラスチック製の透明カバーとからなり、前記透明カバーが、所要部位に横長箱状部を膨出形成しており、この横長箱状部と台紙とで画成された水平状収納室に紙筒に巻回したグラデーションフィルムが水平状に装填されている。
【選択図】図２
0003099530.tif 000002
【実用新案登録請求の範囲】
【請求項１】
　吊下げ用の孔を有する台紙と、台紙前面に重ねられたプラスチック製の透明カバーとからなり、前記透明カバーが所要部位に横長箱状部を膨出形成しており、この横長箱状部と台紙とで画成された水平状収納室に紙筒に巻回したグラデーションフィルムが水平状に装填されていることを特徴とする車両ガラス用フィルムの展示販売具。
【請求項２】
　横長箱状部は、内長さＬが紙筒７の長さとほぼ一致する寸法である請求項１に記載の車両ガラス用フィルムの展示販売具。
【請求項３】
　グラデーションフィルムが正面アーチ曲線状にカットされた多層構造フィルムである請求項１に記載の車両ガラス用フィルムの展示販売具。
【考案の詳細な説明】
【技術分野】
【０００１】
　本考案は自動車のガラス内面に貼着するフィルムの展示販売具に関する。
【背景技術】
【０００２】
　自動車のフロントガラス等に紫外線や熱線のシールドと装飾を兼ねて、グレーやブルーなどの暗色を印刷したグラデーションフィルムを貼着することが行われている。
　かかるグラデーションフィルムは、通常は技能者が施工するが、車のユーザーが自分で貼着することができるように、キットとしても販売されている。
【０００３】
　こうしたキットとして販売する場合、グラデーションフィルムは紙筒に巻回され、その状態で透明な立体成形シートを構成要素とする展示販売具に格納され、ショップの棚に吊り下げられる。
【０００４】
　しかし、従来のグラデーションフィルム用展示販売具は、透明成形体と背後の台紙とで縦方向角ボックス状をなすように構成されており、グラデーションフィルムを巻着した紙筒はその縦方向ボックス内に縦に納められていた。
【０００５】
　このため、グラデーションフィルムが紙筒に沿ってずれやすく、ことにグラデーションフィルムが正面長方形でなくアーチ状である場合には、紙筒への巻き初めと巻き終りの位置が幅方向でずれたらせん状を呈するので、縦置きとした場合にフイルムがずれやすい。
　その結果、グラデーションフィルムの幅方向縁部（ガラスに貼ったときに上下となる縁）が縦方向ボックスの底面に接触し、その状態が持続することで、フィルム縁部に曲げ癖や折れが生じ、使用時に自動車のフロントガラス等にぴったりときれいに貼着できなくなることがあった。
【考案の開示】
【考案が解決しようとする課題】
【０００６】
　本考案は前記のような問題点を解消するためになされたもので、その目的とするところは、グラデーションフィルムが正面アーチ曲線状にカットされたものである場合にも、フイルムのずれによる縁部の曲がりや折れを生じさせず、商品価値が高い状態を維持することができる車両ガラス用フィルムの展示販売具を提供することにある。
【課題を解決するための手段】
【０００７】
　上記目的を達成するため本考案は、吊下げ用の孔を有する台紙と、台紙前面に重ねられたプラスチック製の透明カバーとからなり、前記透明カバーが所要部位に横長箱状部を膨出形成しており、この横長箱状部と台紙とで画成された水平状収納室に紙筒に巻回したグラデーションフィルムが水平状に装填されていることを特徴としている。
【考案の効果】
【０００８】
　本考案によるときには、台紙前面に重ねられて一体化されたプラスチック製の透明カバーが所要部位に横長箱状部を膨出形成しており、この横長箱状部と台紙とで画成された水平状空室に、紙筒に巻回したグラデーションフィルムが水平状に装填されているので、輸送中あるいは商品陳列棚のフックなどに吊るして展示販売中に揺動や振動が作用して巻いたフイルムが紙筒に沿ってずれても、フイルムの幅方向縁部が収納空間を構成する壁に接触せず、これによるフィルム縁の曲がりや折れを生じさせないため、商品価値が高い状態を維持することができるというすぐれた効果が得られる。
【考案を実施するための最良の形態】
【０００９】
　横長箱状部は、内長さが紙筒の長さとほぼ一致する寸法である。これにより、紙筒そのものの横ずれが防止され、グラデーションフィルムのずれ移動が抑止される。
　本考案は、グラデーションフィルムが矩形形状の場合はもちろん、正面アーチ曲線状にカットされた多層構造のものである場合に効果的であり、ガラス曲面にマッチし両サイドが垂れ下がらずに水平になった美麗なシールドを形成できる。
【実施例１】
【００１０】
　以下添付図面を参照して本考案の実施例を説明する。
　図１ないし図４は本考案による車両ガラス用フィルムの展示販売具の第１実施例を示しており、厚紙からなる台紙１とこれに重ねられるプラスチック製の透明カバー２と、該透明カバー２と台紙１で画成される水平状収納室５に装填されたグラデーションフィルムセット３と、水平状収納室５の近傍の副収納室９に装填された作業用具４を有している。
【００１１】
　前記台紙１は、一枚の紙シートを２つ折してなり、外面には、グラデーションフィルムであることを示す商品名、製造元、販売元、商品の特徴、使用状態などの主表示部１０が印刷的手法で施されている。内面（中面）には作業手順や注意などのマニュアルが印刷的手法で施されている。
　前記台紙１の上部領域には陳列棚のフックなどの吊具Ａを通す吊り孔１１が設けられている。
【００１２】
　プラスチック製の透明カバー２は前記台紙１に重ねられる比較的薄い透明なシートの成形体からなり、基面部２ａの上縁と幅方向両側縁に前記台紙１の上縁と幅方向両側縁に係合する反転屈曲部２０，２１が形成され、また、前記台紙１の吊り孔１１に対応する位置に吊り孔２２が設けられている。
【００１３】
　そして、透明カバー２の適当な高さレベルには、基面部２ａから前方に大きく膨出した横長箱状部２ｂが形成されている。
　前記横長箱状部２ｂは、後面壁がなく、上面壁２３と下面壁２４と左右壁２５，２５およびそれらの突端を結ぶ前面壁２６によりほぼ直方体状あるいはドーム状をなし、上面壁２３と下面壁２４は適度に勾配を有している。透明カバー２が台紙１の面と重ねられることで横長箱状部２ｂは背面が閉じられ、前記水平状収納室５が画成される。前記前面壁２６には、当該商品が前後に重ねられたときに隙間を形成するための中空突起２６０が複数個設けられている。
【００１４】
　グラデーションフィルムセット３は、図３のようにグラデーションフィルム６をこれの幅よりも大きい長さの紙筒７に巻回し、グラデーションフィルム６の巻き最外層を感圧接着片８で連結してなる。
　前記水平状収納室５（横長箱状部２ｂ）は、内長さＬが紙筒７の長さとほぼ一致する寸法に作られ、また、上面壁２３と下面壁２４間の間隔Ｈと、前面壁２６と台紙表面間の間隔Ｄは、グラデーションフィルムセット３（紙筒外径＋グラデーションフィルム６の巻き厚）の径とほぼ一致するかやや大きい寸法に構成されている。
【００１５】
　グラデーションフィルム６は、図４のように上部が最も濃度が高く下方に向うほど濃度が淡くなっており、正面からみて、上縁６０と下縁６１が湾曲状の曲線を呈するようにカットされてアーチをなし、側縁６２，６２は外広がりの斜面となっている。
【００１６】
　グラデーションフィルム６は多層構造フィルムからなっている。すなわち、図５のように、ポリエステルなどの主フィルム層６ａに前記濃度分布のグラデーションを直接グラビア印刷するかあるいはグラビア印刷フィルムをラミネートし、上部にハードコート層６ｂを施し、下部に粘着層６ｃを施し、粘着層６ｃに剥離ライナー６ｄを貼っている。
　グラデーションフィルム６は、剥離ライナー６ｄが紙筒７側に面するように巻回される。
【００１７】
　作業用具４はへら４ａと施工液収容容器４ｂを有し、前記副収納室９は、前記作業用具４の輪郭形状に合致するように横長箱状部２ｂの近傍の基面部２ａに膨出形成された異形状部２ｃによって構成されている。
【実施例２】
【００１８】
　図６は本考案の第２実施例を示している。
　この実施例では、透明カバー２が台紙１の前面を覆う面部２ａを有さず、前記横長箱状部２ｂと異形状部２ｃの輪郭形状にフランジ２ｄを連接したものとして構成され、フランジ２ｄを台紙１の前面に接着することで水平状収納室５と副収納室９が形成されるようになっている。
　台紙１には水平状収納室５と副収納室９に対応する形状のミシン目が施されている。
　その他の構成は第１実施例と同様であるので、説明は第１実施例のそれを援用する。
【００１９】
　本物品は、吊り孔１１、２２に陳列棚の吊具Ａを通して吊り、展示販売するが、グラデーションフィルムセット３が水平状収納室５に水平に装填されているため、グラデーションフィルムセット３の紙筒７に巻回したグラデーションフィルム６の巻き最外層を内層とつないでいる感圧接着片８の接着が何らかの理由で弱くなってグラデーションフィルム６が紙筒７と緩みを生じても、縦収納室の場合のようにグラデーションフィルム６が重力で滑り落ちて縦収納室の底壁などに縁部が接触し、そのままに維持されることによるグラデーションフィルムの縁曲げや折れが生じない。
【００２０】
　しかも、グラデーションフィルムセット３を収納した横長箱状部２ｂが台紙１の下半部領域に位置するため、縦収納部タイプの場合に比べ吊り状態での重心が低く安定しており、かつ、横長箱状部２ｂの内長さＬが紙筒７の長さとほぼ一致する寸法であるため、振動や衝撃が加えられても、グラデーションフィルムセット３が水平状収納室５でみだりに動かず、グラデーションフィルム６の左右へのずれが防止される。グラデーションフィルム６の巻きが緩んでも半径方向に膨らむだけで、そのふくらみ部分の外面はハードコート層６ｂであるため、横長箱状部２ｂの壁に接しても傷がつかない。
【００２１】
　したがって、グラデーションフィルムが矩形形状でなく、正面からみて上縁６０と下縁６１が湾曲状の曲線を呈するようにカットされてアーチをなし、そのために紙筒７への巻き具合がらせん状を呈するものであっても、縁が曲がったりしない良好な性状を維持させることができ、不良品のクレームや返品の発生を回避できる。
【図面の簡単な説明】
【００２２】
【図１】本考案による車両ガラス用フィルム展示販売具の第１実施例を示す斜視図である。
【図２】（ａ）は図１のＩＩ−ＩＩ線に沿う断面図、（ｂ）はその部分的拡大図である。
【図３】図１のＩＩＩ−ＩＩＩ線に沿う拡大断面図である。
【図４】車両ガラス用フィルムの正面図である。
【図５】図５のＶＩ−ＶＩ線に沿う断面図である。
【図６】（ａ）は本考案の第２実施例を示す斜視図、（ｂ）はその断面図である。
【符号の説明】
【００２３】
　１　　台紙
　２　　透明カバー
　２ａ　横長箱状部
　３　　グラデーションフィルムセット
　５　　水平状収納室
　６　　グラデーションフィルム
　７　　紙筒
【図１】
0003099530.tif 000003
【図２】
0003099530.tif 000004
【図３】
0003099530.tif 000005
【図４】
0003099530.tif 000006
【図５】
0003099530.tif 000007
【図６】
0003099530.tif 000008